(57)【要約】      （修正有）【課題】スケジュールの作成、実施、確認、修正等の過程で生じる課題を軽減し、認識し易く使い勝手の良い暦を提供する。【解決手段】１週間の平日・土日を表す七曜と、年や祝日・休日などを表す年月日を関連付けて時の流れを教示する暦において、１週７日の七曜５、６を２つ連結して１行目または１列目に配置し、２行目または２列目以降にかけて該七曜に対応した年月日を２ヶ月分以上連結連続して関連付けたことを特徴とする。月を跨ぐスケジュールがあらかじめ想定される、少なくとも既知の２ヶ月を含む年月日の暦に関し、月を跨ぐスケジュールの該当月の月末と次月の月始の連結部が、行または列に連結連続して配置した七曜の連結部附近になることを特徴とする。【選択図】図３
0003213392.tif 000002
【実用新案登録請求の範囲】
【請求項１】
１週間の平日・土日を表す七曜と、年や祝日・休日などを表す年月日を関連付けて時の流れを教示する暦において、１単位の暦の構成が２つの七曜を行または列に連結連続して配置し、該七曜に年月日を２ヶ月分以上連結連続して関連付けてなる暦。
【請求項２】
月を跨ぐスケジュールがあらかじめ想定される、少なくとも既知の２ヶ月を含む年月日の暦に関し、月を跨ぐスケジュールの該当月の月末と次月の月始の連結部が、請求項１の行または列に連結連続して配置した該七曜の連結部附近になることを利用して１単位を構成してなる暦。
【請求項３】
使用者が使用開始を決めた時、その年月日を記入して利用する年月日欄が空白の自由暦において、七曜と年月日の関係が請求項１の形態をとる自由暦。
【請求項４】
電子表示媒体のディスプレイ上に七曜と年月日を関連付けて表示する暦画面において、マウスやキーボードなどのスクロール操作に影響されない表示画面の固定画面領域に、請求項１の形態の七曜と年月を切替えるジャンプボタンを配置し、マウスやキーボードなどスクロール操作で進行又は退行する変化画面領域に、請求項１の年月日の形態をとる日付を表示し、ジャンプボタンの押し操作でディスプレイ上の年月画面を切替え、スクロール操作法で連続的に年月画面を変更することを特徴とするディスプレイ上の暦。
【考案の詳細な説明】
【技術分野】
【０００１】  本考案は、一日を寄せ集め長い時の流れを教示する暦において、１週７日の七曜と１ヶ月２８日から３１日の月日を関連付ける暦法に立脚し、学校活動、企業活動、官公庁活動、家族活動などの多様化する社会生活、個人生活から生じる数日間に亘るスケジュールに関し、スケジュール管理し易い暦を提供する。
【背景技術】
【０００２】  従来、基本的な暦は任意の曜日に始まる平日・土日の７日間を一周期とする七曜を行または列に配置し、１ヶ月分の日付「１」から「２８〜３１」の通常算用数字を該七曜に関連付け、日付欄の余白に祝日、二十四節気、六輝や暦使用者が予定するスケジュール等を記入し、様々な行動を行う日々の情報確認、他人との情報共有手段として広く利用されてきた。【０００３】  しかし、前述の暦は基本的な暦であり、他に利用者の諸々の用途に合わせて利便性を高めた暦が発明・考案され、特許・実用新案が出願登録されている。【０００４】  例えば特許文献１（特開２００８−１０５２６９）の様に４〜５週間分の七曜を１列に連結連続して表示し、これに１月から１２月の日付「１」から「２８〜３１」を月毎に１列に配置した暦がある。【０００５】  この様な暦は一見して各月の行事を視認できるが、月を跨ぐスケジュールの場合月毎に列が異なるので、スケジュールの連続性が途切れ、情報の連続性を補記するものが必要になる。また日々のメモ欄が細長く狭いので、祝日・二十四節気・六輝・スケジュール等の文字が小さくなり、メモの記述もしにくく一目瞭然で認識するには不都合である。【０００６】  また、特許文献２（特開２０１４−１５９１５０）の様に１週七日の七曜に１ヶ月分の日付「１」から「２８〜３１」を関連付け、当月と翌月を連結連続して表記し、月替りの日付の繋がりを分かり易くしたカレンダーがある。複数月を同一画面に表示するので複数月が目視でき、先々の月日まで残日数が幾らあるか感覚的に認識できる。【０００７】  しかし同文献３頁４６行目に有るとおり「７日枠毎に改行して連続する七曜周期の表形式のカレンダー」のため、週を跨ぐスケジュールの途切れ状態が基本的な暦と同様１年に約５３回ある。その様な場合一目瞭然で認識するのに認識しにくい不都合がある。【０００８】  また、特許文献３（特開２００１−１７１２６３）の図３の様に、２週間分と見られる１行１４日分の日付が記載可能な欄に、日付「１」から「３１」を連結連続して羅列したカレンダーがある。これは本考案の請求項１の「２つの七曜を行または列に連結連続して配示し」という形態に似た暦である。【０００９】  しかし、特許文献３の図３には七曜表示が無く、３ヶ月分の日付が全て「３１」であり「気象予測できるカレンダー」と題しているので、本考案とは目的分野の全く異なる特許発明である。【００１０】  また、実新公報１（登録第３２０６７４６号）は２週間分の七曜を１行に並べ１月から１２月までの日付「１」から「２８〜３１」を月毎に関連付け、１ヶ月分の日付を３行で構成した暦である。【００１１】  この暦は月を跨ぐスケジュールの連続性が１年１２回途切れる事になり、その様な場合一目瞭然で認識するのに認識しにくい不都合がある。【００１２】  また、実新公報２（登録第３０５８４９７号）は越年カレンダーと言われるものである。【００１３】  当年末３ヶ月と翌年始３ヶ月の暦を一目瞭然に認識できることを目的に考案されたが、暦の各月の構成が１週７日の七曜と１ヶ月「１」から「２８〜３１」の日数で構成されるため、従来の一般的な暦同様年・月・週を跨ぐスケジュールの連続性が途切れる事となり、その場合一目瞭然で認識するのに認識しにくい不都合がある。
【先行技術文献】
【特許文献】
【００１４】
【特許文献１】特開２００８−１０５２６９
【特許文献２】特開２０１４−１４９１５０
【特許文献３】特開２００１−１７１２６３
【実用新案文献】
【００１５】
【実新公報１】
実用新案登録第３２０６７４６号
【実新公報２】
実用新案登録第３０５８４９７号
【考案の概要】
【考案が解決しようとする課題】
【００１６】  本考案は、スケジュールの作成、実施、確認、修正等の過程で生じる課題を軽減し、認識し易く使い勝手の良い暦の提供に関する。【００１７】  暦は生活のスケジュール表、メモ帳、日記帳等の代わりに日々の様々な行動の簡便な情報確認手段、他人との情報共有手段としてよく利用されている。【００１８】  しかし、人々の多様な社会生活、個人生活の様式の違い、例えば学校活動、企業活動、官公庁活動、家族活動などの異なる活動に関し、従来の７日毎に週が替わり３０日前後で月が替わる一般的な暦では、３，４日から１０日余りのスケジュール、連休、新学期、夏、冬休みのスケジュール、企業活動の四半期毎のスケジュール等に関し、一目瞭然で認識するのに認識しにくい不都合があった。
【課題を解決するための手段】
【００１９】  図を例に説明する。尚、図の説明に於いて部位を指す言葉が長いと理解しにくいので、言葉を短縮しその「語意」を説明しておく。【００２０】  第１七曜  ：図１の符号５・・・左側の「日曜〜土曜」の七曜
第２七曜  ：図１の符号６・・・右側の「日曜〜土曜」の七曜【００２１】  １単位の暦：平日、土日を表す七曜と年月日の数字を関連付け、或る年の或る月、或る日が何曜か教示する最小単位の暦。【００２２】  １画面の暦：図２では１週の平日、土日を表す七曜（符号５）を１月，２月別々に表示し、それぞれの七曜に１月の日付「１」〜「３１」、２月の日付「１」〜「２８」を関連付けている。そこで図２は二つの１単位の暦から「１画面の暦」が成立っていると言う。【００２３】  図３，図４を例に課題を解決するための手段を説明する。【００２４】  図３は符号５，６の「第１七曜」と「第２七曜」に、平成２９年１２月，翌年１月分の（３１＋３１）６２日以上の月日を連結連続して関連付けた１単位の暦で１画面の暦を形成。２，３月分であれば（２８＋３１）５９日以上の月日を連結連続して「第１七曜」と「第２七曜」に関連付けた１単位の暦で１画面形成。その様にして形成した６画面の暦で１年の暦を提供する。【００２５】  図４は符号５，６の「第１七曜」と「第２七曜」に、平成２９年１２月，翌年１，２月分の（３１＋３１＋２８）９０日以上の月日を連結連続して関連付けた１単位の暦で１画面の暦を形成。３〜５月であれば（３１＋３０＋３１）９２日以上の月日を連結連続して「第１七曜」と「第２七曜」に関連付けた１単位の暦で１画面形成。その様にして形成した４画面の暦で１年の暦を提供する。
【考案の効果】
【００２６】  図２は一般的に使用されている、１週７日の七曜に１ヶ月の日付「１」から「２８〜３１」を関連付け１単位を形成した暦を、１画面に２単位載せた暦である。【００２７】  図２では、月・週を跨ぐスケジュールの場合、月・週が替わる毎に内容が伝わるよう留意して月・週のメモを記さなければならない。【００２８】  また図２の月替わりは、符号９で月始と月末の２ヶ所×２単位＝４ヶ所、週替わりは、符号１０で５週の５ヶ所×２単位＝１０ヶ所あるので、１年間の暦が６画面から成ると月・週替わり箇所は（４＋１０）×６＝８４ヶ所になる。【００２９】  図３は本考案請求項１の暦の一例である。１画面に２ヶ月で形成される１単位の暦を載せたもので、月替わりの符号９は１２月始と１月末の２ヶ所、週替わりの符号１０は１２月１日〜１月３１日の合計日数（３１＋３１）６２日を２つの七曜で除した（６２÷１４≒４．４３＜Ｎ）Ｎで５ヶ所、１年間の暦が６画面から成ると月・週替わり箇所は（２＋５）×６＝４２ヶ所になる。【００３０】  故に本考案請求項１の暦は、従来の暦に比べ月・週が替わる毎に内容が伝わるよう留意してメモを記さなければならない回数が半減する。【００３１】  続いて図３により本考案請求項２の効果を説明する。【００３２】  旧年１２月と、新年１月を連結連続して「第１七曜」「第２七曜」に関連付ける。この時旧年１２月１日が置かれる位置は、日付欄１行目の「第１七曜」の日曜〜土曜の間になる様に置く。【００３３】  従って、１２月２９日は日付欄３行目「第１七曜」の日曜〜土曜の間になり、
新年１月１日は日付欄３行目の「第１七曜」の水曜から「第２七曜」の火曜の間になる。【００３４】  ここで年末仕事納めを１２月２９日、新年仕事始めを１月５日と仮定すると、１月５日は日付欄３行目「第２七曜」の日曜〜土曜の間になるので、１２月２９日〜１月５日は日付欄３行目に一続きの日々として表わされる。
もし、１月５日が土曜、７日が「成人の日」になる様な年があると、請求項２の暦は１２月２９日から１月７日にかけて連休が一目瞭然直感的に認識できる暦となり、「越年カレンダー」「スケジュール管理し易い暦」として役立つ。【００３５】  前述と同様４月２９日〜５月５日の飛び石連休も、連続性が一目瞭然直感的に認識できる暦となり「スケジュール管理し易い暦」として役立つ。
【図面の簡単な説明】
【００３６】
【図１】本考案請求項１の暦の例。
【図２】一般的に普及している１画面に７日の七曜で２ヶ月の暦を表した例。
【図３】本考案請求項２の越年２ヶ月暦の例。
【図４】本考案請求項２の越年３ヶ月暦の例。
【図５】本考案請求項２の２ヶ月１単位の暦で、１画面６単位の暦で年暦を構成し年末・年始、４，５月連休を表現した暦の例。
【図６】本考案請求項２の３ヶ月１単位の暦で、１画面４単位の暦で年暦を構成し年末・年始、４，５月連休を表現した暦の例。
【図７】本考案請求項３の手帳形自由暦の例。
【図８】本考案請求項３のノート形自由暦の例。
【図９】本考案請求項１、列に配した２つ七曜と表裏印刷で用紙節約した壁掛暦の例。
【図１０】本考案請求項１、列に配した２つ七曜と表裏印刷で用紙節約した壁掛暦の利用例。
【図１１】本考案請求項４の、縦横比９：１６のディスプレイに表作成ソフトで作成した暦の例。連結連続した２つの七曜に一ヶ年以上の月日を連結連続して表示したイメージ。
【考案を実施するための形態】
【００３７】  文字、表、絵画、写真などの表示が可能な媒体、例えば紙・布・ＦＰＤ等の面に印刷・ＬＥＤなどの表示方法で、１週７日の七曜を横に２つ連結して１行目に配置し、その下２行目から６行目にかけて該七曜に対応した１４列を作成、そうして作成した１４×５＝７０の升目に、日付に相当する「１」〜「２８〜３１」の数字を２ヶ月分連結連続して横方向へ「１」増減する形で関連付け、２つ七曜と２ヶ月分の月日を対応させた七曜表を作成する。
【００３８】  上記と同様手段で、１週７日の七曜を横に２つ連結して１行目に表示し、その下２行目から８行目にかけて該七曜に対応した１４列を作成、そうして作成した１４×７＝９８の升目に、日付に相当する「１」〜「２８〜３１」の数字を３ヶ月分連結連続して横方向へ「１」増減する形で関連付け、２つ七曜と３ヶ月分の月日を対応させた七曜表を作成する。
【００３９】  上記の２つ横に連結して１行目に表示する七曜は、縦に連結し左端または右端の１列目に表示しても良い。その場合日付を関連付ける２列目から６列目、または２列目から８列目にかけて該七曜に対応する１４行を作成、そうして作成した７０または９８の升目に、日付に相当する「１」〜「２８〜３１」の数字を２ヶ月または３ヶ月分連結連続して縦方向へ「１」増減する形で関連付ける。
【実施例】
【００４０】  以下、添付図面に従って実施例を説明する。
図３の暦は、平成２９年（西暦２０１７年）１２月と平成３０年（西暦２０１８年）１月の年月日を本考案の暦で表わした例である。【００４１】  符号１は年の平成２９年−平成３０年（西暦２０１７年−西暦２０１８年）を表し、２，３は月のＤＥＣＥＭＢＥＲ−ＪＡＮＵＡＲＹ（１２月−１月）を表す。【００４２】  符号５は第１七曜（左側の日曜−土曜）６は第２七曜（右側の日曜−土曜）を表し、５，６を最上段の１行目に連結連続して配置し、週替わりによる改行の回数を半減する。【００４３】  符号７は日付欄に設けたメモ欄、８は年の替わり目、９は月の替わり目、１０は改行する週の替わり目を指す。２行目以下第１七曜の金曜を平成２９年１２月１日とすると、４行目第２七曜の日曜は１２月３１日、月曜は平成３０年１月１日になる。６行目第２七曜の水曜は１月３１日、木曜は２月１日になる。【００４４】  依って本考案の暦の例では、１２月〜１月の暦の年替わり（符号８）１回、月替わり（符号９）２回、週替わり（符号１０）５回が、１画面に１単位の暦として表され、年末年始の連接が一目瞭然で認識できスケジュール管理がし易い。【００４５】  図４の暦は、平成２９年（西暦２０１７年）１２月から平成３０年（西暦２０１８年）２月迄の３ヶ月の年月日を本考案の暦で表わした例である。【００４６】  学校活動などで２学期が修了し１２月２５日（月曜）に冬休みが始まり、１月９日（火曜）から３学期が始まる場合、「天皇誕生日」１２月２３日（土曜）から「成人の日」１月８日（月曜）まで暦上一連の休みとして表現され、また２月１０日（土曜）から「建国記念の日」２月１１日（日曜）「振替休日」２月１２日（月曜）が３連休として表現されるので、集中学習スケジュール等が立案管理し易い。【００４７】  図５の暦は、平成２９年（西暦２０１７年）１２月から平成３０年（西暦２０１８年）１１月迄の１２ヶ月を、連結連続した２ヶ月を１単位として６単位の暦で１年間を１画面に表わした本考案の暦の例である。【００４８】  符号１１は年末・年始の連休，１２は４月末から５月始にかけての飛び石連休を示す。連休が一目瞭然で認識できスケジュール管理に役立つ。【００４９】  図６の暦は、平成２９年（西暦２０１７年）１２月から平成３０年（西暦２０１８年）１１月迄の１２ヶ月を、連結連続した３ヶ月を１単位として４単位の暦で１年間を１画面に表わした本考案の暦の例である【００５０】  符号１１は年末・年始の連休，１２は４月末から５月始にかけての飛び石連休を示す。連休が一目瞭然で認識できスケジュール管理に役立つ。【００５１】  また上記１画面６単位、４単位の暦は、６画面、４画面の暦に分離し６葉、４葉の年間暦にしても良い。またそれに平成３０年（西暦２０１８年）１２月と、翌年１月（または２月まで）の年月日を連結連続した１葉の暦を加え、越年カレンダーを付加した７葉、５葉の暦としても良い。【００５２】  さらに上記連結連続させる年月の組合せは、学校活動の様に学期に関連付ける場合。企業活動、官公庁活動の様に４半期に関連付ける場合。家族活動の様に休日中心に関連付ける場合。季節の園芸、魚釣など四季に関連付ける場合など、各人の行動、スケジュールに合わせて様々な組合せをすれば良い。【００５３】  図７、図８の暦は手帳、ノート等使用者が使用開始を決めた時、その年月日を記入し利用する年月日欄が空白の自由暦において、七曜と年月日の表示形態が請求項１の形態をとる暦である。【００５４】  図９の暦は、複数の紙を重ね紙面中央に横の折目を設けるとともにステープルで綴じ、紙面の表裏に第１七曜と第２七曜を表示し、２ヶ月分の月日「１」〜「２８〜３１」を連結連続して該七曜に対応させた、本考案の形態をとる用紙を節約した壁掛け式暦である。【００５５】  図１０の暦は、パソコンやスマホのディスプレイ上に、表計算ソフトＭｉｃｒｏｓｏｆｔＯｆｆｉｃｅ「Ｅｘｃｅｌ」などで作成できる、個人などがスケジュール管理のため本考案請求項４の形態を取る暦である。数年分の年月日を連結連続してスケジュールの一括保存管理ができ、視認する文字の大きさが変えられるので、大容量のスケジュール管理がし易く連続性が認識し易い。このような利便性を図１０はイメージにしたものである。
【産業上の利用可能性】
【００５６】  「一年の計は元旦にあり」
多くの生活者のスケジュールは、周囲の人々の都合を配慮して作られるので、「新年の計」「飛び石連休の計」「お盆休みの計」などの計画は早々に立てられる傾向にある。【００５７】  農林漁業、小売業、学生、教師、議員、公務員、経営者、会社員、アルバイト、家族など様々な社会、集団に属する生活者にとり、複雑化、多様化する現代生活の中で、３，４日から１０日余りに亘って生じるスケジュールが増えているが、一般的に普及している１週７日の七曜と月毎の日付を関連付けた暦は、年月週などの替わり目が多くスケジュールの立案、修正、管理がしづらい。【００５８】  本考案の暦は年月週の替わり目を減らし、２週１４日が一続きの連続日として把握でき、３，４日から１０日余りに亘るスケジュールが見易く分かり易く管理し易いという要求に応える暦で、産業上は勿論一般家庭にも利用可能である。
【符号の説明】
【００５９】  １    和暦・西暦  年欄
２    月の英語表示欄
３    月の数字表示欄
４ａ  本考案の、２ヶ月表示の暦画面
４ｂ  一般的に普及している２ヶ月表示の暦画面
４ｃ  本考案の、３ヶ月表示の暦画面
５    第１七曜（左側の日曜〜土曜）
５ａ  最初の曜日
５ｂ  上記の次の曜日（５ａが日曜日なら月曜日）
５ｃ  上記の次の曜日（５ｂが月曜日なら火曜日）
５ｄ  上記の次の曜日（５ｃが火曜日なら水曜日）
５ｅ  上記の次の曜日（５ｄが水曜日なら木曜日）
５ｆ  上記の次の曜日（５ｅが木曜日なら金曜日）
５ｇ  上記の次の曜日（５ｆが金曜日なら土曜日）
６    第２七曜（右側の日曜〜土曜）
６ａ  最初の曜日
６ｂ  上記の次の曜日（６ａが日曜日なら月曜日）
６ｃ  上記の次の曜日（６ｂが月曜日なら火曜日）
６ｄ  上記の次の曜日（６ｃが火曜日なら水曜日）
６ｅ  上記の次の曜日（６ｄが水曜日なら木曜日）
６ｆ  上記の次の曜日（６ｅが木曜日なら金曜日）
６ｇ  上記の次の曜日（６ｆが金曜日なら土曜日）
７    メモ欄
８    年の替わり目
９    月の替わり目
１０  週の替わり目
１１  年末・年始の連休
１２  ４月末・５月頭の連休
１３  「年暦」ジャンプ移動ボタン
１４  「月暦」ジャンプ移動ボタン
１５  縦横比９：１６ディスプレイ
１６  キーボード
１７  マウスのホイール
１８  マウス
【図１】
0003213392.tif 000003
【図２】
0003213392.tif 000004
【図３】
0003213392.tif 000005
【図４】
0003213392.tif 000006
【図５】
0003213392.tif 000007
【図６】
0003213392.tif 000008
【図７】
0003213392.tif 000009
【図８】
0003213392.tif 000010
【図９】
0003213392.tif 000011
【図１０】
0003213392.tif 000012
【図１１】
0003213392.tif 000013
【手続補正書】
【提出日】平成29年8月18日(2017.8.18)
【手続補正１】
【補正対象書類名】実用新案登録請求の範囲
【補正対象項目名】全文
【補正方法】変更
【補正の内容】
【実用新案登録請求の範囲】
【請求項１】
１週間の平日・土日を表す七曜と、年や祝日・休日などを表す年月日を関連付けて時の流れを教示する暦において、１週７日の七曜を２つ連結して１行目または１列目に配置し、２行目または２列目以降にかけて該七曜に対応した年月日を２ヶ月分以上連結連続して関連付けたことを特徴とする暦。
【請求項２】
月を跨ぐスケジュールがあらかじめ想定される、少なくとも既知の２ヶ月を含む年月日の暦に関し、月を跨ぐスケジュールの該当月の月末と次月の月始の連結部が、行または列に連結連続して配置した七曜の連結部附近になることを特徴とする請求項１に記載の暦。
【請求項３】
使用者が使用開始の年月日を自由に決められるように年月日欄が空白になっていることを特徴とする請求項１に記載の暦。
【請求項４】
電子表示媒体のディスプレイ上に七曜と年月日を関連付けて表示する暦画面において、マウスやキーボードなどのスクロール操作に影響されない表示画面の固定画面領域に七曜と年月を切替えるジャンプボタンを配置し、マウスやキーボードなどスクロール操作で進行又は退行する変化画面領域に年月日の形態をとる日付を表示し、ジャンプボタンの押し操作でディスプレイ上の年月画面を切替え、スクロール操作法で連続的に年月画面を変更することを特徴とする請求項１に記載の暦。